【手続補正書】
【提出日】平成24年4月26日(2012.4.26)
【手続補正１】
【補正対象書類名】特許請求の範囲
【補正対象項目名】全文
【補正方法】変更
【補正の内容】
【特許請求の範囲】
【請求項１】
波長多重伝送により光信号を中継する光中継システムであって、
光信号を中継する複数の中継装置と、
前記複数の中継装置のそれぞれを制御するネットワーク制御装置と
を備え、
それぞれの前記中継装置は、
波長選択スイッチと、
波長毎のそれぞれの光信号の劣化度を測定し、測定した劣化度を、対応する光信号を識別する信号ＩＤおよび自中継装置を識別する中継装置ＩＤと共に前記ネットワーク制御装置へ通知する劣化度測定部と、
前記ネットワーク制御装置から信号ＩＤを含む再生指示を受信した場合に、当該信号ＩＤに対応する光信号を再生する再生中継器と
を有し、
前記ネットワーク制御装置は、
中継装置ＩＤ毎に、当該中継装置ＩＤに対応する中継装置が有する再生中継器を識別する再生中継器ＩＤ、および、当該再生中継器が使用中であるか否かを示す使用情報を保持する機器情報保持部と、
信号ＩＤ毎に、当該信号ＩＤに対応する光信号の中継経路上に存在する複数の中継装置について当該光信号が中継される順序を特定する情報と共に、当該光信号の中継経路上に存在する中継装置の中継装置ＩＤを保持する中継経路保持部と、
波長毎のそれぞれの光信号に許容される劣化度の閾値を保持する閾値保持部と、
信号ＩＤ毎に、当該信号ＩＤに対応する光信号について通知された劣化度を、当該劣化度を通知した中継装置の中継装置ＩＤに対応付けて保持する劣化度保持部と、
それぞれの前記中継装置から通知された劣化度を、当該劣化度と共に通知された信号ＩＤおよび中継装置ＩＤに対応付けて前記劣化度保持部に格納する劣化度収集部と、
信号ＩＤ毎に再生中継器割当処理を実行する再生中継器割当管理部と
を有し、
前記再生中継器割当管理部は、前記再生中継器割当処理において、
信号ＩＤ毎に、前記劣化度保持部および前記閾値保持部を参照し、閾値以上の劣化度を通知した中継装置が存在する場合に、当該閾値以上の劣化度に対応付けられている中継装置ＩＤを前記劣化度保持部から抽出し、
抽出した中継装置ＩＤよりも、当該信号ＩＤに対応する光信号の中継経路の上流に存在する中継装置の中継装置ＩＤを前記中継経路保持部内で特定し、
特定した中継装置ＩＤの中で、未使用の再生中継器を有する中継装置の中継装置ＩＤを前記機器情報保持部内で選択し、
選択した中継装置ＩＤに対応する中継装置に、閾値以上の劣化度が通知された光信号の信号ＩＤを含む再生指示を送信することを特徴とする光中継システム。
【請求項２】
請求項１に記載の光中継システムであって、
前記再生中継器割当管理部は、前記再生中継器割当処理において、
信号ＩＤ毎に、閾値以上の劣化度を通知した中継装置よりも、当該信号ＩＤに対応する光信号の中継経路の上流に存在する中継装置の中で、未使用の再生中継器を有する中継装置が複数存在する場合、当該未使用の再生中継器を有する中継装置の中で、当該信号ＩＤに対応する光信号の中継経路の最も下流に存在する中継装置の中継装置ＩＤを前記中継経路保持部内で特定することを特徴とする光中継システム。
【請求項３】
請求項２に記載の光中継システムであって、
前記機器情報保持部は、
中継装置ＩＤ毎に、当該中継装置ＩＤに対応する中継装置が有する再生中継器が使用中である場合に当該再生中継器が再生している光信号の信号ＩＤをさらに保持し、
前記再生中継器割当管理部は、
信号ＩＤ毎に、当該信号ＩＤに対応する光信号の中継経路上に、当該光信号を再生している再生中継器が存在する場合に、当該再生中継器において当該光信号の再生を停止した場合の各中継装置での当該光信号の劣化度を第１の仮想劣化度として算出し、算出した第１の仮想劣化度がいずれも前記閾値未満である場合に、当該再生中継器を有する中継装置に、当該信号ＩＤを含む再生停止指示を送信する再生停止処理を実行し、
それぞれの前記中継装置の再生中継器は、
前記ネットワーク制御装置から再生停止指示を受信した場合に、当該再生停止指示に含まれている信号ＩＤに対応する光信号の再生を停止することを特徴とする光中継システム。
【請求項４】
請求項３に記載の光中継システムであって、
前記再生中継器割当管理部は、前記再生停止処理において、
信号ＩＤ毎に、当該信号ＩＤに対応する光信号を再生している再生中継器を有する中継装置の中継装置ＩＤを前記機器情報保持部から抽出し、
抽出した中継装置ＩＤに対応する中継装置よりも、当該信号ＩＤに対応する光信号の中継経路の下流に存在するそれぞれの中継装置の中継装置ＩＤを前記中継経路保持部内で特定し、
前記抽出した中継装置ＩＤに対応する中継装置から通知された光信号の劣化度を前記劣化度保持部内で特定し、特定した劣化度から再生前の光信号の劣化度と再生後の光信号の劣化度の差分を算出し、
算出した劣化度の差分を、前記劣化度保持部を参照して、前記下流に存在するそれぞれの中継装置から通知された劣化度に加えることにより、当該信号ＩＤに対応する光信号の中継経路上の各中継装置での第１の仮想劣化度を算出し、
算出した第１の仮想劣化度が、いずれも、前記閾値保持部が保持している閾値未満である場合に、前記抽出した中継装置ＩＤおよび当該信号ＩＤに対応付けられて前記機器情報保持部に格納されている使用情報を、未使用に変更すると共に、前記抽出した中継装置ＩＤに対応する中継装置に、当該信号ＩＤを含む再生停止指示を送信することを特徴とする光中継システム。
【請求項５】
請求項４に記載の光中継システムであって、
前記再生中継器割当管理部は、
光信号の中継経路が変更された場合に、前記再生停止処理を実行することを特徴とする光中継システム。
【請求項６】
請求項５に記載の光中継システムであって、
前記ネットワーク制御装置は、
信号ＩＤ毎に、当該信号ＩＤに対応する光信号を再生中の再生中継器を有する中継装置の中継装置ＩＤを示す使用中装置ＩＤ、および、当該信号ＩＤに対応する光信号の再生を置換可能な再生中継器を有する中継装置の中継装置ＩＤを示す置換装置ＩＤを保持する置換情報保持部
をさらに有し、
前記再生中継器割当管理部は、
信号ＩＤ毎に、当該信号ＩＤに対応する光信号の中継経路上に当該光信号を再生している再生中継器を有する中継装置が存在する場合に、当該再生中継器による当該光信号の再生を、未使用の他の再生中継器で置換可能か否かを判定し、置換可能な未使用の再生中継器が存在する場合に、当該置換可能な未使用の再生中継器を有する中継装置の中継装置ＩＤを置換装置ＩＤとし、置換される側の再生中継器を有する中継装置の中継装置ＩＤを使用中装置ＩＤとして、当該信号ＩＤに対応付けて置換情報保持部に格納する置換情報作成処理を実行し、
前記再生中継器割当処理において、信号ＩＤ毎に、劣化度を通知した中継装置の上流に存在する全ての中継装置の再生中継器が使用中である場合に、当該使用中の再生中継器のいずれかによる光信号の再生を置換可能な他の再生中継器を、前記置換情報作成処理によって情報が登録された後の前記置換情報保持部を参照して検索し、検索した中継装置に、置換される側の再生中継器によって再生されている光信号の信号ＩＤを含む再生指示を送信し、置換される側の再生中継器を有する中継装置に、当該再生中継器で再生していた光信号の信号ＩＤを含む再生停止指示を送信することで、当該中継装置の再生中継器を未使用状態にし、未使用状態となった再生中継器を有する中継装置に、劣化度が閾値を超えた光信号の信号ＩＤを含む再生指示を送信することを特徴とする光中継システム。
【請求項７】
請求項６に記載の光中継システムであって、
前記再生中継器割当管理部は、前記置換情報作成処理において、
信号ＩＤ毎に、当該信号ＩＤに対応する光信号を再生している再生中継器を有する中継装置の中継装置ＩＤを前記機器情報保持部から抽出し、
抽出した中継装置ＩＤに対応する中継装置よりも、当該信号ＩＤに対応する光信号の中継経路の下流に存在するそれぞれの中継装置の中継装置ＩＤを前記中継経路保持部内で特定し、
前記抽出した中継装置ＩＤに対応する中継装置から通知された光信号の劣化度を前記劣化度保持部内で特定し、特定した劣化度から再生前の光信号の劣化度と再生後の光信号の劣化度の差分を算出し、
算出した劣化度の差分を、前記劣化度保持部を参照して、前記下流に存在するそれぞれの中継装置から通知された劣化度に加えることにより、当該信号ＩＤに対応する光信号の中継経路上の各中継装置での第１の仮想劣化度を算出し、
前記抽出した中継装置ＩＤに対応する中継装置よりも、当該信号ＩＤに対応する光信号の中継経路の上流に存在するそれぞれの中継装置から通知された劣化度、および、下流に存在するそれぞれの中継装置について算出した第１の仮想劣化度を用いて、前記抽出した中継装置ＩＤに対応する中継装置以外の中継装置であって、当該信号ＩＤに対応する光信号の中継経路上に存在する中継装置内の未使用の再生中継器毎に、当該再生中継器を用いた場合の当該信号ＩＤに対応する光信号の中継経路上のそれぞれの中継装置によって測定される劣化度を第２の仮想劣化度として算出し、
算出した第２の仮想劣化度のいずれもが前記閾値未満である場合に、当該第２の仮想劣化度の算出過程で使用した再生中継器を有する中継装置の中継装置ＩＤを置換装置ＩＤとし、前記抽出した中継装置ＩＤを使用中装置ＩＤとして、それぞれ対象となっている信号ＩＤに対応付けて前記置換情報保持部に格納することを特徴とする光中継システム。
【請求項８】
請求項１から７のいずれか一項に記載の光中継システムであって、
前記ネットワーク制御装置は、
信号ＩＤ毎に、当該信号ＩＤに対応する光信号の優先度を保持する優先度保持部
をさらに有し、
前記再生中継器割当管理部は、
前記優先度保持部を参照して、優先度の高い順に、それぞれの光信号の信号ＩＤ毎に、前記再生中継器割当処理を実行することを特徴とする光中継システム。
【請求項９】
光信号を中継する複数の中継装置を有する光中継システムにおいて、それぞれの中継装置を制御するネットワーク制御装置であって、
それぞれの中継装置を識別する中継装置ＩＤ毎に、当該中継装置ＩＤに対応する中継装置が有する再生中継器を識別する再生中継器ＩＤ、および、当該再生中継器が使用中であるか否かを示す使用情報を保持する機器情報保持部と、
それぞれの波長の光信号を識別する信号ＩＤ毎に、当該信号ＩＤに対応する光信号の中継経路上に存在する複数の中継装置について当該光信号が中継される順序を特定する情報と共に、当該光信号の中継経路上に存在する中継装置の中継装置ＩＤを保持する中継経路保持部と、
波長毎のそれぞれの光信号に許容される劣化度の閾値を保持する閾値保持部と、
信号ＩＤ毎に、当該信号ＩＤに対応する光信号について通知された劣化度を、当該劣化度を通知した中継装置の中継装置ＩＤに対応付けて保持する劣化度保持部と、
それぞれの前記中継装置から通知された劣化度を、当該劣化度と共に通知された信号ＩＤおよび中継装置ＩＤに対応付けて前記劣化度保持部に格納する劣化度収集部と、
信号ＩＤ毎に再生中継器割当処理を実行する再生中継器割当管理部と
を有し、
前記再生中継器割当管理部は、前記再生中継器割当処理において、
信号ＩＤ毎に、前記劣化度保持部および前記閾値保持部を参照し、閾値以上の劣化度を通知した中継装置が存在する場合に、当該閾値以上の劣化度に対応付けられている中継装置ＩＤを前記劣化度保持部から抽出し、
抽出した中継装置ＩＤよりも、当該信号ＩＤに対応する光信号の中継経路の上流に存在する中継装置の中継装置ＩＤを前記中継経路保持部内で特定し、
特定した中継装置ＩＤの中で、未使用の再生中継器を有する中継装置の中継装置ＩＤを前記機器情報保持部内で選択し、
選択した中継装置ＩＤに対応する中継装置に、閾値以上の劣化度が通知された光信号の信号ＩＤを含む再生指示を送信することを特徴とするネットワーク制御装置。
【手続補正２】
【補正対象書類名】明細書
【補正対象項目名】００３２
【補正方法】変更
【補正の内容】
【００３２】
図６は、図５に例示した経路情報保持部２４内の情報において、信号ＩＤ２４０が「Ｓ００４」の光信号の中継経路における劣化度２４２の分布を示す概念図である。図６では黒丸が各端局装置１３または中継装置３０から通知された劣化度の値を示す。信号ＩＤ２４０が「Ｓ００４」の光信号は、端局装置１３Ａから出力された後に中継装置３０Ｄを介して中継装置３０Ｅに中継され、中継装置３０Ｅ内の再生中継器３５ｅによって再生され、中継装置３０Ｆおよび中継装置３０Ｇを介して端局装置１３Ｂに中継されている。
【手続補正３】
【補正対象書類名】明細書
【補正対象項目名】００３３
【補正方法】変更
【補正の内容】
【００３３】
優先度保持部２５は、例えば図７に示すように、それぞれの波長の光信号を識別する信号ＩＤ２５０に対応付けて、当該光信号の優先度２５１を保持する。優先度保持部２５内の情報は、光中継システム１０の管理者によって予め設定される。
【手続補正４】
【補正対象書類名】明細書
【補正対象項目名】００４０
【補正方法】変更
【補正の内容】
【００４０】
中継経路の変更を指示された場合（Ｓ１０５：Ｙｅｓ）、経路変更部２２は、光中継システム１０の管理者の指示に従って、中継経路の変更を通信部２１を介して対象となる端局装置１３および各中継装置３０に指示する（Ｓ１０６）。そして、経路変更部２２は、経路変更の対象となる光信号について、経路情報保持部２４内に保持されている中継経路上の中継装置３０の中継装置ＩＤを変更する（Ｓ１０７）。
【手続補正５】
【補正対象書類名】明細書
【補正対象項目名】００４１
【補正方法】変更
【補正の内容】
【００４１】
次に、経路変更部２２は、通信部２１を介して各端局装置１３および中継装置３０に品質測定指示を送信する（Ｓ１０８）。そして、劣化度収集部２３は、通信部２１を介して端局装置１３または中継装置３０から品質情報を受信し、受信した品質情報に含まれている信号ＩＤおよび中継装置ＩＤに対応付けて、当該品質情報に含まれている劣化度を経路情報保持部２４に格納する（Ｓ１０９）。そして、再生中継器割当部２６は、後述する第２の再生中継器割当処理を実行し（Ｓ３００）、劣化度収集部２３は、再びステップＳ１００に示した処理を実行する。
【手続補正６】
【補正対象書類名】明細書
【補正対象項目名】００５３
【補正方法】変更
【補正の内容】
【００５３】
次に、再生中継器割当部２６は、ステップＳ２０２において全ての光信号の信号ＩＤを選択したか否かを判定する（Ｓ２０７）。未選択の信号ＩＤがある場合（Ｓ２０７：Ｎｏ）、再生中継器割当部２６は、再びステップＳ２０２に示した処理を実行する。一方、全ての光信号の信号ＩＤを選択した場合（Ｓ２０７：Ｙｅｓ）、再生中継器割当部２６は、本フローチャートに示した第１の再生中継器割当処理を終了する。
【手続補正７】
【補正対象書類名】明細書
【補正対象項目名】００６６
【補正方法】変更
【補正の内容】
【００６６】
まず、再生中継器割当部２６は、光信号を再生している中継装置３０Ｅにおいて、当該光信号の再生前の劣化度（図６の黒丸）と、再生後の劣化度（図６の白丸）との差分Δｄ1を算出する。なお、再生前の劣化度（図６の黒丸）は、中継装置３０Ｅ内の劣化度測定部３４によって測定された値である。また、再生後の劣化度（図６の白丸）は、それぞれの再生中継器３５の再生能力として予め定められた再生後の劣化度が用いられる。
【手続補正８】
【補正対象書類名】明細書
【補正対象項目名】００６９
【補正方法】変更
【補正の内容】
【００６９】
例えば、図１４で説明したように算出した第１の仮想劣化度を有する劣化度の分布において、再生中継器割当部２６は、図１５に示すように、未使用の再生中継器３５ｇを有する中継装置３０Ｇにおいて再生を行った場合の劣化度の差分Δｄ2を算出する。そして、再生中継器割当部２６は、算出した差分Δｄ2を、中継装置３０Ｇよりも中継経路における下流の端局装置１３Ｂについて算出された第１の仮想劣化度から差し引いて第２の仮想劣化度として算出する。
【手続補正９】
【補正対象書類名】明細書
【補正対象項目名】００８４
【補正方法】変更
【補正の内容】
【００８４】
例えば、図１８に示すように、信号ＩＤが「Ｓ００１」、「Ｓ００２」、および「Ｓ００３」の光信号が、端局装置１３Ａから、中継装置３０Ａ、中継装置３０Ｆ、中継装置３０Ｂ、および中継装置３０Ｃを介して、端局装置１３Ｂに中継されている場合に、中継装置３０Ａと中継装置３０Ｆの間、および、中継装置３０Ｃと端局装置１３Ｂの間において光回線に障害が発生したと仮定する。
【手続補正１０】
【補正対象書類名】明細書
【補正対象項目名】００８５
【補正方法】変更
【補正の内容】
【００８５】
そして、光中継システム１０の管理者は、入力装置１７を介して、「Ｓ００１」、「Ｓ００２」、および「Ｓ００３」の光信号の中継経路を、図１１に示すように変更したと仮定する。なお、信号ＩＤが「Ｓ００２」の光信号は、中継経路の変更前も後も中継装置３０Ｆ内の再生中継器３５ｆによって再生されているものとする。
【手続補正１１】
【補正対象書類名】明細書
【補正対象項目名】００９２
【補正方法】変更
【補正の内容】
【００９２】
再生中継器割当部２６は、光信号を再生している再生中継器３５Ｆにおいて、当該光信号の再生前の劣化度（図２０の黒丸）と、再生後の劣化度（図２０の白丸）との差分Δｄ3を算出する。なお、再生前の劣化度（図２０の黒丸）は、中継装置３０Ｆ内の劣化度測定部３４によって測定された値である。また、再生後の劣化度（図２０の白丸）は、それぞれの再生中継器３５の再生能力として予め定められた再生後の劣化度が用いられる。
【手続補正１２】
【補正対象書類名】明細書
【補正対象項目名】００９３
【補正方法】変更
【補正の内容】
【００９３】
そして、再生中継器割当部２６は、例えば図２１に示すように、算出した差分Δｄ3を、再生を実行している再生中継器３５ｆを有する中継装置３０Ｆよりも中継経路における下流の中継装置３０Ｇおよび端局装置１３Ｂの劣化度に加算することにより、再生中継器３５ｆを停止したと仮定した場合の第１の仮想劣化度（図２１の白四角）を算出する。
【手続補正１３】
【補正対象書類名】明細書
【補正対象項目名】００９５
【補正方法】変更
【補正の内容】
【００９５】
ステップＳ２０２で選択中の信号ＩＤに対応する光信号を再生している再生中継器３５を停止することができる場合（Ｓ３１２：Ｙｅｓ）、再生中継器割当部２６は、当該信号ＩＤを含む再生停止指示を、当該再生中継器３５を有する中継装置３０へ通信部２１を介して送信する（Ｓ３１３）。
【手続補正１４】
【補正対象書類名】図面
【補正対象項目名】図３
【補正方法】変更
【補正の内容】
【図３】
2011259132.tif 000001
【手続補正１５】
【補正対象書類名】図面
【補正対象項目名】図１０
【補正方法】変更
【補正の内容】
【図１０】
2011259132.tif 000002
【手続補正１６】
【補正対象書類名】図面
【補正対象項目名】図１２
【補正方法】変更
【補正の内容】
【図１２】
2011259132.tif 000003
【手続補正１７】
【補正対象書類名】図面
【補正対象項目名】図１７
【補正方法】変更
【補正の内容】
【図１７】
2011259132.tif 000004